(57)【特許請求の範囲】
【請求項１】
互いに連結及び連結解除可能で、各々所定の部材に取り付けられるプラグ（１２）とソケット（１４）から成り、
前記プラグ（１２）は、一対の脚部（２０）を備え、前記一対の脚部（２０）の先端部（２０ａ）寄りの位置に各々係合突起（２２）が形成され、
前記一対の脚部（２０）間の中心線を中心に前記一対の脚部（２０）の互いに対称な位置であって前記中心線側の各側縁部に、表裏方向に厚みを有し、前記係合突起（２２）から連続して伸びるリブ（２８）から成るガイド部（３２）を各々備え、前記ガイド部（３２）の外側に薄肉部（３０）が左右方向に延びて形成され、
前記ソケット（１４）は、前記脚部（２０）が挿入される収容空間（５２）を形成する上面部（４５）と下面部（４６）、及び前記上面部（４５）と前記下面部（４６）の両側縁部に設けられ互いに対向するように延出した一対の上側壁部（４７）と一対の下側壁部（４８）とを備え、
前記収容空間（５２）内の前記一対の上側壁部（４７）と前記一対の下側壁部（４８）の内壁面が、前記脚部（２０）が挿入された際に前記脚部（２０）の前記係合突起（２２）又は前記ガイド部（３２）に当接するガイド面（５４）として設けられ、前記一対の脚部（２０）に形成された前記ガイド部（３２）の形状は、前記ガイド面（５４）と一致するように形成され、
前記一対の上側壁部（４７）と前記一対の下側壁部（４８）との間が、一対のスリット（５０）として設けられ、前記スリット（５０）は、前記収容空間（５２）の挿入口（４０ａ）から前記脚部（２０）の挿入方向に形成され、
前記ガイド部（３２）は、前記上側壁部（４７）及びまたは前記下側壁部（４８）と当接し、前記スリット（５０）に挿入不能であるとともに、前記薄肉部（３０）が前記スリット（５０）に挿入可能に形成されたことを特徴とするバックル。
【請求項２】
前記ガイド部（３２）の表裏方向の寸法は、前記スリット（５０）の表裏方向の寸法よりも大きく形成されている請求項１記載のバックル。
【請求項３】
前記脚部（２０）の基端部（２０ｂ）にテープ通し部（２４）が設けられ、前記テープ通し部（２４）には、第１のバー（３４）と第２のバー（３５）とを備え、前記脚部（２０）は前記第２のバー（３５）の両端部から延出している請求項１記載のバックル。
【請求項４】
前記一対の脚部（２０）は、基端部（２０ｂ）に向けてＵ字状のブリッジ（３６）によりつながれている請求項３記載のバックル。
【請求項５】
前記リブ（２８）は、一端が前記係合突起（２２）に位置して前記脚部（２０）の基端部（２０ｂ）側に延び、前記リブ（２８）の他端部に、前記プラグ（１２）が前記ソケット（１４）内に挿入され連結される状態で、前記上側壁部（４７）及びまたは前記下側壁部（４８）の前記挿入口（４０ａ）側の端縁と当接するストッパ部（３１）が設けられている請求項１記載のバックル。
【請求項６】
前記収容空間（５２）内の前記一対の上側壁部（４７）と前記一対の下側壁部（４８）の内壁面は、前記一対の脚部（２０）の挿入方向に沿って互いの間隔が狭くなるように形成されている請求項５記載のバックル。
【発明の詳細な説明】
【技術分野】
【０００１】
この発明は、互いに係合及び係合解除可能なプラグとソケットとを備え、ベルトやテープその他の部材の別々の部分同士を連結及び連結解除可能にするバックルに関する。
【背景技術】
【０００２】
従来、二つの連結対象物を着脱自在に連結するバックルとして、例えば特許文献１に開示されているバックルがあった。このバックルは、プラグとソケットから成り、プラグは、幅方向両端部から互いに平行に延びる一対の脚部と、一対の脚部の先端部にそれぞれ表裏方向に突出して形成された一対の係合突部とを有する。ソケットは、基部から互いに延びる上板及び下板と、上板及び下板の幅方向両側縁に沿って互いに対向するように突設された上側壁部及び下側壁部と、上下板間に挿入された一対の脚部の一対の係合突部とそれぞれ係合可能な係合段部と、上側壁部及び下側壁部間に形成され、プラグ挿入側の端部が開口して一対の脚部の一部が挿入可能なスリットと、上側壁部及び下側壁部の内側面で形成され、上下板間に挿入された一対の脚部の一対の係合突部を被係合部である係合段部にガイドするガイド面とを有する。そして、一対の係合突部の厚み寸法がスリットの幅寸法よりも大きく設定されているものである。
【０００３】
また、特許文献２に開示されたバックルは、上記特許文献１と同様の基本的構成を備え、ソケットの上側壁部及び下側壁部間に形成されたスリットの形状が、上板及び下板間のプラグ挿入口からソケット中央部までは、プラグの脚部が貫通可能な幅広に形成され、中央部から被係合部近傍までが幅狭に形成された構造である。プラグの脚部内側には、脚部の延出方向にリブが形成され、このリブの幅は幅狭のスリットよりも厚く幅広のスリットよりも薄いものである。
【先行技術文献】
【特許文献】
【０００４】
【特許文献１】国際公開ＷＯ２０１４／００２２３５号公報
【特許文献２】特開平７−２８９３１０号公報
【発明の概要】
【発明が解決しようとする課題】
【０００５】
上記特許文献１に開示されたバックルは、一対の係合突部の寸法がスリットの幅寸法よりも大きいが、係合突部と脚部基端部との間の脚部の厚みは、スリットの幅よりも狭く、ソケットのプラグ挿入開口部にプラグが斜めに挿入された場合、スリットに脚部の薄い部分が挿入されるとともに、プラグの基端部がスリットに嵌合して係合突部が係合段部に係止できなかったり、脚部がスリットに嵌合して動かなくなる場合があった。
【０００６】
また、特許文献２に開示されたバックルの場合、幅狭のスリットがプラグ挿入口から離れた位置にあり、上記リブはプラグの挿入をガイドする構造ではない。従って、上記と同様に、プラグの脚部が幅広のスリットの部分を経て斜めにソケット内に挿入された場合、係合突部と被係合部が係合できなかったり、スリット部分にプラグの脚部や脚部基端部が嵌合し動かなくなる場合があった。
【０００７】
この発明は、上記背景技術の問題点に鑑みて成されたもので、操作性が良く、プラグを斜めにソケットに挿入した場合も確実に係合可能なバックルを提供することを目的とする。
【課題を解決するための手段】
【０００８】
この発明は、互いに連結及び連結解除可能で、各々所定の部材に取り付けられるプラグとソケットから成り、前記プラグは、一対の脚部を備え、前記一対の脚部の先端部寄りの位置に各々係合突起が形成され、前記一対の脚部間の中心線を中心に前記一対の脚部の互いに対称な位置であって前記中心線側の各側縁部に、表裏方向に厚みを有し、前記係合突起から連続して伸びるリブから成るガイド部を各々備え、前記ガイド部の外側は薄肉部となり、前記ソケットは、前記脚部が挿入される収容空間を形成する上面部と下面部、及び前記上面部と前記下面部の両側縁部に設けられ互いに対向するように延出した一対の上側壁部と一対の下側壁部を備え、前記収容空間内の前記一対の上側壁部と前記一対の下側壁部の内壁面が、前記脚部が挿入された際に前記脚部の前記係合突起又は前記ガイド部に当接するガイド面として設けられ、前記一対の脚部に形成された前記ガイド部の形状は、前記ガイド面と一致するように形成され、前記一対の上側壁部と前記一対の下側壁部との間が、一対のスリットとして設けられ、前記スリットは、前記収容空間の挿入口から前記脚部の挿入方向に形成され、前記ガイド部は、前記上側壁部及びまたは前記下側壁部と当接し、前記スリットに挿入不能であるとともに、前記薄肉部が前記スリットに挿入可能なバックルである。
【０００９】
さらに、請求項２記載のバックルは、前記ガイド部の表裏方向の寸法が、前記スリットの表裏方向の寸法よりも大きく形成されているものである。請求項３記載のバックルは、前記脚部の基端部にテープ通し部が設けられ、前記テープ通し部には、第１のバーと第２のバーとを備え、前記脚部は前記第２のバーの両端部から延出しているものである。請求項４記載のバックルの前記一対の脚部は、基端部に向けてＵ字状のブリッジによりつながれている。
【００１０】
請求項５記載のバックルの前記リブは、一端が前記係合突起に位置して前記脚部の基端部側に延び、前記リブの他端部に、前記プラグが前記ソケット内に挿入され連結される状態で前記上側壁部及びまたは前記下側壁部の前記挿入口側の端縁と当接するストッパ部が設けられているものである。
【００１１】
また、請求項６記載のバックルは、前記収容空間内の前記一対の上側壁部と前記一対の下側壁部の内壁面は、前記一対の脚部の挿入方向に沿って互いの間隔が狭くなるように形成されている。
【発明の効果】
【００１２】
この発明のバックルは、操作性が良く、プラグをソケットに対して斜めに挿入した場合も、容易且つ確実にプラグとソケットの係合が可能であり、係合操作時の操作性の良いバックルを提供することができる。
【００１３】
また、請求項３記載のバックルによれば、コンパクトな寸法で脚部が撓みやすいプラグの構造にすることができ、バックル全体の形状も小さくすることができる。さらに、請求項４記載のバックルによれば、脚部が撓みやすく強度も高いものにすることができ、操作性がよく耐久性も高いバックルにすることができる。
【００１４】
請求項５記載のバックルによれば、プラグのソケットへの挿入位置を規制し、安定な挿入及び係合を可能にする。
【００１５】
請求項６記載のバックルによれば、プラグのソケットへの挿入を容易にし、操作性を向上させるものである。
【図面の簡単な説明】
【００１６】
【図１】この発明の一実施形態のバックルの係合状態を示す斜視図である。
【図２】この実施形態のバックルの非係合状態を示す斜視図である。
【図３】この実施形態のバックルの非係合状態を示す正面図である。
【図４】この実施形態のバックルの非係合状態を示す右側面図である。
【図５】この実施形態のバックルのプラグの底面図である。
【図６】この実施形態のバックルのソケットの縦断面図である。
【図７】この実施形態のバックルのソケットの平面図である。
【図８】この実施形態のバックルの係合状態を示す部分破断正面図である。
【図９】図８のＡ−Ａ断面図である。
【図１０】図８のＢ−Ｂ断面図である。
【図１１】図８のＣ−Ｃ断面図である。
【図１２】この実施形態のバックルが斜めに挿入されるときの状態を示す正面図（ａ）、ソケットを部分破断した正面図（ｂ）である。
【図１３】この実施形態のバックルが斜めに挿入されたときの状態を示す正面図（ａ）、ソケットを部分破断した正面図（ｂ）である。
【発明を実施するための形態】
【００１７】
以下、この発明の一実施形態のバックル１０について、図１〜図１３を基にして説明する。このバックル１０は、プラグ１２と、プラグ１２が嵌合して係止されるソケット１４とから成るもので、互いに任意に連結及び連結解除されるベルトやテープ等の部材に各々取り付けられる。以後の説明において、プラグ１２の後述する一対の脚部２０に設けられた各係合突起２２が対向する方向を左右方向、左右方向と直交する方向であって脚部２０の突出方向を前後方向、左右方向及び前後方向に直交する方向を表裏方向また厚み方向という。
【００１８】
プラグ１２は、例えばポリアセタール、ポリアミド、ポリプロピレンなどの合成樹脂で一体成形により形成されている。プラグ１２は、ソケット１４に挿入される脚部２０と、脚部２０の先端部２０ａ寄りの位置に一体に設けられた係合突起２２と、係合突起２２とは反対側に位置し、脚部２０の基端部２０ｂに一体に設けられたテープ通し部２４を備える。係合突起２２は、脚部２０の先端部２０ａ寄りの位置の表裏方向の両方に突出して各々設けられ、脚部２０の基端部２０ｂ側に面して、係止段部２２ａ設けられている。係止段部２２ａは、後述するソケット１４の被係合部５６に係合可能に形成されている。
【００１９】
一対の脚部２０は、互いに対称にテープ通し部２４から突出し、テープ通し部２４側である基端部２０ｂと係合突起２２が設けられた先端部２０ａとの間の、中央部よりもやや基端部２０ｂ側の位置に向かって、先端部２０ａ及び基端部２０ｂから徐々に左右方向外側に膨らんだ形状の操作部２６が設けられている。操作部２６の表裏方向の寸法は、プラグ１２のテープ通し部２４の厚み方向寸法とほぼ等しく、図４に示すように厚さＤに形成されている。
【００２０】
一対の操作部２６の互いに対向する内側部分には、図４他に示すように、厚み方向に操作部２６の厚さＤよりも小さい幅Ｈのリブ２８が各々立設されている。リブ２８は、脚部２０の延出方向に沿って、一端部が操作部２６の中央部に位置し、他端部が係合突起２２の係止段部２２ａの内側に連続して形成されている。操作部２６の中央部につながるリブ２８の一端部は、プラグ１２がソケット１４に挿入された際に、ソケット１４が当接するストッパ部３１となる。ストッパ部３１には、ソケット１４の後述する各上側壁部４７と下側壁部４８の挿入口４０ａ側の端縁が当接する。リブ２８の、ストッパ部３１から係合突起２２につながる部分は、プラグ１２の挿入動作をガイドするガイド部３２となる。ガイド部３２は、一対の脚部２０間の中心線を中心に一対の脚部２０の互いに対称な位置であって中心線側の各側縁部に設けられる。一対の脚部２０の外側縁及び各ガイド部３２は、互いに先端部２０ａに向かうに従い近づくように傾斜して設けられている。また、脚部２０の先端部２０ａでは、対向する面同士が僅かに互いに離れるように形成され、一対の脚部２０の間隔は、係止段部２２ａが形成される位置よりも先端部２０ａの位置のほうが大きく形成されている。
【００２１】
一対の脚部２０の各々外側に位置した操作部２６と、内側に位置したリブ２８との間には、操作部２６及びリブ２８の厚み方向中央部に位置した薄肉部３０が設けられている。薄肉部３０は、厚さｔに形成され、係合突起２２からリブ２８、及び操作部２６の壁面に囲まれて、操作部２６の先端部２６ａと係合突起２２との間の部分が、薄肉部３０の両面側で左右及び前後方向に解放されて形成されている。これにより、薄肉部３０は、ソケット１４の後述する上側壁部４７と下側壁部４８の間のスリット５０に嵌合可能に設けられている。
【００２２】
テープ通し部２４は、プラグ１２の基端部の第１のバー３４と、一対の脚部２０の基端部２０ｂを連結した第２のバー３５とが左右方向に平行に設けられ、その間にテープ挿通孔２４ａが形成されている。さらに、第２のバー３５と一対の脚部２０で囲まれる部分も空間が設けられ、テープ挿通孔２４ｂを形成している。第２のバー３５は、テープ通し部２４の表裏方向の表面側に位置している。
【００２３】
一対の脚部２０の係合突起２２の、互いに対向する面の僅かに基端部２０ｂ寄りの位置には、脚部２０の先端部２０ａの近傍同士を連結したＵ字状のブリッジ３６の両端部が一体に設けられている。ブリッジ３６は、一対のリブ２８の互いに対向する内側面と僅かの隙間を空けて延出し、一対の操作部２６間の中央部付近でＵ字状に湾曲し形成されている。
【００２４】
ソケット１４も、例えばポリアセタール、ポリアミド、ポリプロピレンなどの合成樹脂で一体成形により形成されている。ソケット１４は、プラグ１２の脚部２０が挿入される嵌合部４０と、嵌合部４０の挿入口４０ａとは反対側に位置したテープ通し部４２とから成る。テープ通し部４２には、テープ部材等を挿通するテープ挿通孔４２ａが形成され、テープ部材等を連結する連結バー４４が設けられている。
【００２５】
ソケット１４の嵌合部４０は、上面部４５と下面部４６が互いに所定間隔を空けて対面し、プラグ１２の挿入空間を形成している。上面部４５と下面部４６の挿入口４０ａ側の端部において、その中央部は他の部分よりも前後方向の挿入口４０ａ側へ突出するように形成されている。上面部４５の側縁には、左右方向の両側に、下面部４６側に突出した上側壁部４７が互いに対向して設けられている。下面部４６の側縁にも、左右方向の両側に、上面部４５側に突出した下側壁部４８が互いに対向して設けられている。嵌合部４０の左右方向両側の上側壁部４７と下側壁部４８は、各々表裏方向に一定の間隔を空けて対向し、その間の隙間がスリット５０として形成されている。スリット５０の幅ｈは、プラグ１２の薄肉部３０の厚さｔよりも大きく、リブ２８の幅Ｈよりも小さい。即ち、リブ２８の幅Ｈ＞スリット５０の幅ｈ＞薄肉部３０の厚さｔ、となる。
【００２６】
嵌合部４０は、テープ通し部４２よりも左右方向寸法が小さく、図１に示すように、プラグ１２をソケット１４に係合させた状態で、プラグ１２の操作部２６が各上側壁部４７と下側壁部４８の側方に露出して位置する。嵌合部４０の内側には、プラグ１２の脚部２０の係合突起２２、リブ２８、及び薄肉部３０が挿入される収容空間５２が形成され、収容空間５２は、挿入口４０ａからテープ通し部４２側に向かうに従い左右方向の幅が狭くなるように形成され、この左右方向の両側壁が、プラグ１２の脚部２０をガイドするガイド面５４となる。即ち、各上側壁部４７と下側壁部４８の、収容空間５２側に面した内壁面が、ガイド面５４を形成し、脚部２０のガイド部３２の外側面の壁面形状に一致して、挿入口４０ａから離れるに従い互いに近づくように形成されている。
【００２７】
嵌合部４０の収容空間５２の中央には、挿入口４０ａから前後方向にテープ通し部４２に延び、収容空間５２を仕切るとともに表裏方向の荷重に耐えるため、上面部４５と下面部４６間に一体に設けられた連結部５５を備える。連結部５５の開口側端部には、ブリッジ３６の中央部が嵌合して接する溝部５５ａが形成されている。また、上面部４５の表面には、連結部５５に沿って僅かに滑らかな凹面が形成されている。嵌合部４０のテープ通し部４２側の端部には、プラグ１２の係合突起２２の係止段部２２ａが係合する被係合部５６が各々設けられている。また、上面部４５のテープ挿通孔４２ａ側の面は、テープ通し部４２側に伸びて、プラグ１２の係合状態で係合突起２２を覆う覆い部４５ａが設けられ、係合突起２２が表面側から露出して目立ったり、外部の部材に触れたりするのを防止している。
【００２８】
次に、この実施形態のバックル１０の係合動作及び使用方法について以下に説明する。まず、このバックル１０のプラグ１２について、テープ部材等の取り付け方法を簡単に説明する。プラグ１２のテープ通し部２４には、第１，第２のバー３４，３５が設けられ、連結用の図示しないテープ部材は、プラグ１２の裏面側からテープ挿通孔２４ｂに挿入され、第２のバー３５の外周を経て、テープ挿通孔２４ａの表面側から裏面側に挿入されて、自身のテープ部材に重ねられ、長さ調節自在に引き出される。一方、ソケット１４に取り付けられる図示しないテープ部材等は、１本の連結バー４４に調節不能に連結される。
【００２９】
プラグ１２とソケット１４の係合動作は、図２〜図４に示すように、プラグ１２の脚部２０をソケット１４の挿入口４０ａに対向させて、プラグ１２をソケット１４内へ押し込む。脚部２０が嵌合部４０内に挿入されると、嵌合部４０のスリット５０に薄肉部３０が挿入され、収容空間５２のテープ通し部４２に近い位置のガイド面５４に、脚部２０の係合突起２２が各々当接する。係合突起２２の外側面が各々接した状態でさらにプラグ１２をソケット１４内に押し込むと、プラグ１２の挿入に従いガイド面５４の傾斜により、脚部２０は互いに近づくように弾性変形する。そして、脚部２０の係合突起２２がガイド面５４の端部を通過すると、係合突起２２の係止段部２２ａがソケット１４の被係合部５６に対面して係合するように、脚部２０の弾性変形が復元する。これにより、プラグ１２の各脚部２０に形成された表裏の係合突起２２が各々ソケット１４の被係合部５６に対面して係合し、確実にプラグ１２とソケット１４が連結される。そして、プラグ１２は、ソケット１４の挿入口４０ａを形成する各上側壁部４７と下側壁部４８の端縁が、リブ２８のストッパ部３１に接触して停止する。
【００３０】
プラグ１２とソケット１４との連結を解除するには、一対の操作部２６を外側方から押圧して、プラグ１２の係合突起２２をソケット１４の被係合部５６と対面しない位置に弾性変形させる。この状態で、プラグ１２とソケット１４が互いに離れる方向に僅かに相対的に移動させると、係合突起２２と被係合部５６の対面位置から離れる。これにより、容易に係合が解除される。
【００３１】
また、この実施形態のバックル１０は、図１２に示すように、ソケット１４に対してプラグ１２が、前後方向に対して斜めに挿入された場合にも、脚部２０の一方の薄肉部３０が一方のスリット５０に挿入されるとともに、係合突起２２の角部がソケット１４のガイド面５４にガイドされ、さらに押し込むと、プラグ１２のリブ２８のガイド部３２が、ソケット１４の上側壁部４７と下側壁部４８の端部に接触してスリット５０に挿入不能となり、プラグ１２のソケット１４への挿入方向をガイドする。さらにこのとき、スリット５０の幅ｈと、プラグ１２の薄肉部３０の厚さｔ、及びリブ２８の幅Ｈの上述の関係により、一方の脚部２０の薄肉部３０以外の部分が、ソケット１４のスリット５０に嵌合することを防ぐ。
【００３２】
この後、さらにプラグ１２をソケット１４内に押し込むと、図１３に示すように、他方の脚部２０の先端部２０ａ及び係合突起２２がソケット１４のガイド面５４に接触して、プラグ１２を挿入方向にガイドする。これにより、プラグ１２は、ソケット１４の収容空間５２内にスムーズにガイドされる。さらにプラグ１２をソケット１４内へ押し込むことにより、上述のように係合突起２２が被係合部５６に係合して、プラグ１２とソケット１４が連結される。
【００３３】
この実施形態のバックル１０によれば、ソケット１４に形成されたスリット１４と、プラグ１２の脚部２０の各部の寸法が上述の関係にあるので、プラグ１２をソケット１４に対して斜めに挿入した場合も、プラグ１２の一部がソケット１４に当接して、それ以上挿入動作できなくなったり、さらにスリット５０に脚部２０の一部が嵌合して、固定されてしまい、操作不能になることがない。プラグ１２は、挿入操作を行うことにより、ソケット１４のガイド面５４にガイドされるとともに、プラグ１２のガイド部３２にソケット１４の一部が当接して、適正な挿入位置関係になるようプラグ１２の移動を制限しつつガイドされ、プラグ１２のストッパ部３１がソケット１４の挿入口４０ａ側端部に当接して停止し、確実に係合が完了し連結が行われる。
【００３４】
さらに、プラグ１２の一対の脚部２０は、その先端部２０ａの近傍で、Ｕ字状のブリッジ３６により連結されているので、ソケット１４への挿入時の弾性変形が容易であるとともに、一定の強度を維持することができる。また、一対の脚部２０の基端部２０ｂを連結する連結用のバーが設けられておらず、テープ通し部２４には、第１，第２のバー３４，３５の２本のみが形成されているので、プラグ１２の前後方向寸法を抑えつつ、脚部２０が撓みやすい構造とすることができる。
【００３５】
なお、この発明のバックルは、上記各実施形態に限定されるものではなく、係合突起２２は、脚部２０の表裏の一方に突出して設けられたものでも良い。また、リブ２８は、表裏の係合突起２２の一方のみから伸びるものでも良い。表裏方向の表面側の係合突起２２からのみリブ２８が伸びている場合には、ソケット１４に対してプラグ１２が前後方向に対して斜めに挿入された際に、リブ２８のガイド部３２はソケット１４の上側壁部４７の端部に接触し、スリット５０に挿入不能となる。また、脚部２０や収容空間５２の形状は適宜設定可能なものであり、脚部２０の薄肉部３０とリブ２８，及びスリット５０の関係が上述の条件を満たすものであれば良い。さらに、プラグ１２やソケット１４の形状も適宜設定可能なものであり、必要に応じてブリッジ３６を設ければ良く、テープ通し部２４，４２の形状も適宜設定することができる。
【符号の説明】
【００３６】
１０  バックル
１２  プラグ
１４  ソケット
２０  脚部
２０ａ  先端部
２０ｂ  基端部
２２  係合突起
２４，４２  テープ通し部
２４ａ，２４ｂ，４２ａ  テープ挿通孔
２６  操作部
２８  リブ
３０  薄肉部
３１  ストッパ部
３２  ガイド部
３４  第１のバー
３５  第２のバー
３６  ブリッジ
４０    嵌合部
４０ａ  挿入口
４５  上面部
４６  下面部
４７  上側壁部
４８  下側壁部
５０  スリット
５２  収容空間
５４  ガイド面
５６  被係合部
【図１】
0006605296.tif 000002
【図２】
0006605296.tif 000003
【図３】
0006605296.tif 000004
【図４】
0006605296.tif 000005
【図５】
0006605296.tif 000006
【図６】
0006605296.tif 000007
【図７】
0006605296.tif 000008
【図８】
0006605296.tif 000009
【図９】
0006605296.tif 000010
【図１０】
0006605296.tif 000011
【図１１】
0006605296.tif 000012
【図１２】
0006605296.tif 000013
【図１３】
0006605296.tif 000014